(57)【要約】【課題】本発明は、便利に操作することができるコンピューターキャビネットを提供することを目的とする。【解決手段】本発明のコンピューターキャビネットは、フロントパネル、リアパネル、前記フロントパネル及び前記リアパネルを接続するボディーを備え、前記フロントパネルには、少なくとも１つの第一ネットワークケーブルインターフェースが設けられる。【選択図】図１
2012123791.tif 000002
【特許請求の範囲】
【請求項１】
フロントパネル、リアパネル、前記フロントパネル及び前記リアパネルを接続するボディーを備えてなるコンピューターキャビネットであって、
前記フロントパネルには、少なくとも１つの第一ネットワークケーブルインターフェースが設けられることを特徴とするコンピューターキャビネット。
【請求項２】
前記リアパネルには、少なくとも１つの第二ネットワークケーブルインターフェースが設けられることを特徴とする請求項１に記載のコンピューターキャビネット。
【請求項３】
前記コンピューターキャビネットは、制御装置をさらに備え、
前記制御装置は、コントローラー、前記コントローラーに接続される第一ＬＥＤランプ及び第二ＬＥＤランプを備え、
前記コントローラーは、前記コンピューターキャビネットの内部に設けられ、且つ前記第一ネットワークケーブルインターフェース及び前記第二ネットワークケーブルインターフェースに接続され、
前記第一ＬＥＤランプは、前記フロントパネルに設けられ且つ前記第一ネットワークケーブルインターフェースに近接しており、前記第二ＬＥＤランプは、前記リアパネルに設けられ且つ前記第二ネットワークケーブルインターフェースに近接しており、
前記コントローラーは、前記第一ネットワークケーブルインターフェース又は前記第二ネットワークケーブルインターフェースにネットワークケーブルが接続されたか否かを検出するために用いられ、
前記第一ネットワークケーブルインターフェース又は前記第二ネットワークケーブルインターフェースにネットワークケーブルが接続されると、前記コントローラーは前記第一ＬＥＤランプ又は前記第二ＬＥＤランプを制御して第一状態を表示させ、前記第一ネットワークケーブルインターフェース又は前記第二ネットワークケーブルインターフェースにネットワークケーブルが接続されないと、前記コントローラーは前記第一ＬＥＤランプ又は前記第二ＬＥＤランプを制御して第二状態を表示させることを特徴とする請求項２に記載のコンピューターキャビネット。
【請求項４】
前記第一ネットワークケーブルインターフェース又は前記第二ネットワークケーブルインターフェースにネットワークケーブルが接続されると、前記コントローラーは前記第一ＬＥＤランプ又は前記第二ＬＥＤランプを制御して点灯させ、前記第一ネットワークケーブルインターフェース又は前記第二ネットワークケーブルインターフェースにネットワークケーブルが接続されないと、前記コントローラーは前記第一ＬＥＤランプ又は前記第二ＬＥＤランプを制御して消灯させることを特徴とする請求項３に記載のコンピューターキャビネット。
【発明の詳細な説明】
【技術分野】
【０００１】
本発明は、コンピューターキャビネットに関するものである。
【背景技術】
【０００２】
コンピューターキャビネットは、ユーザーに対面するフロントパネル及びユーザーに背面するリアパネルを備える。ネットワークケーブルインターフェース、ＶＧＡインターフェース及びＵＳＢインターフェースなどは、一般的にリアパネルに設けられる。
【発明の概要】
【発明が解決しようとする課題】
【０００３】
しかし、コンピューターをテストするか又は修理する場合、コンピューターキャビネットを移動させるか又はユーザーがコンピューターキャビネットの後方に行って、これらのインターフェースに対して操作することが必要とされるので、操作が不便である。
【０００４】
本発明の目的は、前記課題を解決し、便利に操作することができるコンピューターキャビネットを提供することである。
【課題を解決するための手段】
【０００５】
本発明に係るコンピューターキャビネットは、フロントパネル、リアパネル、前記フロントパネル及び前記リアパネルを接続するボディーを備え、前記フロントパネルには、少なくとも１つの第一ネットワークケーブルインターフェースが設けられる。
【発明の効果】
【０００６】
従来の技術に比べて、ユーザーが本発明のコンピューターキャビネットのネットワークケーブルインターフェースに接続されたネットワークケーブルを抜き出す際、前記コンピューターキャビネットを移動させるか又は自分が前記コンピューターキャビネットの後方に行くことが必要とされない。特に、前記コンピューターキャビネットを狭い空間に設置する場合、その便利さはさらに十分に表される。
【図面の簡単な説明】
【０００７】
【図１】本発明の実施形態に係るコンピューターキャビネットの構造を示す図である。
【図２】図１に示すコンピューターキャビネット内の制御装置のブロック図である。
【発明を実施するための形態】
【０００８】
以下、図面を参照して、本発明の実施形態について説明する。
【０００９】
図１を参照すると、本発明の実施形態に係るコンピューターキャビネット１０は、ユーザーに対面するフロントパネル１００と、ユーザーに背面するリアパネル２００と、前記フロントパネル１００及び前記リアパネル２００を接続するボディー３００と、を備える。
【００１０】
前記フロントパネル１００の上部には、複数の第一ＵＳＢインターフェース１０４、オーディオインターフェース１０６、マイクインターフェース１０８及びカードリーダーインターフェース１１０が設けられ、前記フロントパネル１００の中部には、光学ドライブ挿入口１１２が設けられ、前記フロントパネル１００の下部には、第一ネットワークケーブルインターフェース１０２及び第一ＶＧＡインターフェース１１４が設けられる。前記第一ネットワークケーブルインターフェース１０２、複数の前記第一ＵＳＢインターフェース１０４、前記オーディオインターフェース１０６、前記マイクインターフェース１０８及び前記第一ＶＧＡインターフェース１１４は、全て前記コンピューターキャビネット１０の内部のマザーボード（図示せず）に接続される。
【００１１】
前記リアパネル２００には、第二ネットワークケーブルインターフェース２０２、第二ＶＧＡインターフェース２０４及び複数の第二ＵＳＢインターフェース２０６が設けられる。前記第二ネットワークケーブルインターフェース２０２、前記第二ＶＧＡインターフェース２０４及び複数の前記第二ＵＳＢインターフェース２０６は、全て前記コンピューターキャビネット１０の内部のマザーボード（図示せず）に接続される。
【００１２】
ユーザーが前記コンピューターキャビネット１０の各々のインターフェースに接続された接続ケーブルを抜き出す際、前記コンピューターキャビネット１０を移動させるか又は自分が前記コンピューターキャビネット１０の後方に行くことが必要とされない。特に、前記コンピューターキャビネット１０を狭い空間に設置する場合、その便利さはさらに十分に表される。
【００１３】
図２を参照すると、前記コンピューターキャビネット１０は、制御装置４００をさらに備える。前記制御装置４００は、コントローラー４０２、前記コントローラー４０２に接続される第一ＬＥＤランプ４０４及び第二ＬＥＤランプ４０６を備える。前記コントローラー４０２は、前記コンピューターキャビネット１０の内部に設けられ、且つ前記第一ネットワークケーブルインターフェース１０２及び前記第二ネットワークケーブルインターフェース２０２に接続される。前記第一ＬＥＤランプ４０４は、前記フロントパネル１００に設けられ、且つ前記第一ネットワークケーブルインターフェース１０２に近接している。前記第二ＬＥＤランプ４０６は、前記リアパネル２００に設けられ、且つ前記第二ネットワークケーブルインターフェース２０２に近接している。前記コントローラー４０２は、前記第一ネットワークケーブルインターフェース１０２及び前記第二ネットワークケーブルインターフェース２０２の中の一方にネットワークケーブルが接続されたか否かを検出するために用いられる。前記第一ネットワークケーブルインターフェース１０２又は前記第二ネットワークケーブルインターフェース２０２にネットワークケーブルが接続されると、前記コントローラー４０２は前記第一ＬＥＤランプ４０４又は前記第二ＬＥＤランプ４０６を制御して点灯させて、前記コンピューターキャビネット１０にネットワークケーブルが接続されていることを表示する。前記第一ネットワークケーブルインターフェース１０２又は前記第二ネットワークケーブルインターフェース２０２にネットワークケーブルが接続されないと、前記コントローラー４０２は前記第一ＬＥＤランプ４０４又は前記第二ＬＥＤランプ４０６を制御して消灯させて、前記コンピューターキャビネット１０にネットワークケーブルが接続されていないことを表示する。
【００１４】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００１５】
１０  コンピューターキャビネット
１００  フロントパネル
１０２  第一ネットワークケーブルインターフェース
１０４  第一ＵＳＢインターフェース
１０６  オーディオインターフェース
１０８  マイクインターフェース
１１０  カードリーダーインターフェース
１１２  光学ドライブ挿入口
１１４  第一ＶＧＡインターフェース
２００  リアパネル
２０２  第二ネットワークケーブルインターフェース
２０４  第二ＶＧＡインターフェース
２０６  第二ＵＳＢインターフェース
３００  ボディー
４００  制御装置
４０２  コントローラー
４０４  第一ＬＥＤランプ
４０６  第二ＬＥＤランプ
【図１】
2012123791.tif 000003
【図２】
2012123791.tif 000004